(57)【特許請求の範囲】
【請求項１】
建物開口部の縁に沿って備えられた四辺形の枠材と、該枠材内に配置された障子と、を備え、
前記障子は、上框、下框、左框、及び右框からなる四辺形の框と、該框に囲まれた面材と、を有し、
室外側正面から見た場合に、前記枠材を前記框により全周に渡り隠蔽されるように前記框の室外側が見付方向外側に延びた部位を有しており、
前記框及び前記枠材の前記面材側の端部から室内外方向に延びる端面が、建物開口部の室内側壁の室内外方向に延びる縁の直線上又はその近傍に配置され、
前記枠材の室外側と、前記框の室外側の見付方向外側に延びた前記部位の内端部とに接するシール部材が設けられることを特徴とする開口部装置。
【請求項２】
前記面材より室内側には、前記框及び前記枠材のいずれかの一方の該框又は該枠材のうち室外側面と、前記框及び前記枠材のいずれか他方と、の空間を閉鎖する緩衝材を備えた請求項１に記載の開口部装置。
【請求項３】
前記框の室外側の見付方向外側に延びた前記部位と前記枠材との間に排水可能な経路が形成され、前記シール部材により前記下枠と前記下框との一部を封鎖せず、排水口とした請求項１又は２に記載の開口部装置。
【請求項４】
前記枠材と前記障子の框のうちいずれか一辺の前記枠材及び前記障子の框が蝶番により連結され、前記枠材に対して前記障子が室外方向に開閉可能とされる請求項１乃至３のいずれか１項に記載の開口部装置。
【請求項５】
上枠、下枠、左枠、右枠からなる枠材と、該枠材に配置され、上框、下框、左框、右框からなる框及び該框に囲まれた面材からなる障子と、を備える窓を水平方向又は垂直方向の少なくとも一方に並べて形成される連窓であって、
室外側正面から見た場合に、前記枠材を前記框により全周に渡り隠蔽されるように前記框の室外側が見付方向外側に延びた部位を有しており、
前記框及び前記枠材の前記面材側の端部から室内外方向に延びる端面が、建物開口部の室内側壁の室内外方向に延びる縁の直線上又はその近傍に配置され、
前記枠材の室外側と、前記框の室外側の見付方向外側に延びた前記部位の内端部とに接するシール部材が設けられ、
前記水平方向又は前記垂直方向に並べられる前記窓間にはこれらを連結する連結部材と、
室内側正面から見た場合に、少なくとも前記連結部材を隠蔽するように、前記連結部材に重ねて配置されるパネルと、を備えたことを特徴とする連窓の開口部装置。
【請求項６】
前記パネルが前記枠材及び前記框に重ねて配置される請求項５に記載の連窓の開口部装置。
【発明の詳細な説明】
【技術分野】
【０００１】
本発明は住宅や公共施設等の建物開口部に好適に用いられる開口部装置に関する。
【背景技術】
【０００２】
近年、建物の洋風化がこれまで以上に進み、いわゆるモダンなデザインである洋風建物が増加している。このような洋風建物では建物の形そのものだけではなく、建物を構成する各要素の随所にも洋風なデザインが採用されてきている。
【０００３】
洋風なデザインの建物の中でも特にシンプルモダン住宅と呼ばれるシンプルで開放的な印象を与える建物が好まれる傾向にあり、そのための建物及び建物を構成する各要素の設計が必要となってきている。かかる建物の要素設計において建物の窓は重要な要素の１つである。建物の窓は室内外の換気及び採光の手段としての機能に留まらず、建物の印象を決める重要な役割を有している。例えば窓の配置や形が異なると、同じ形状の建物でもその雰囲気は全く異なる。
【０００４】
従来において、建物の窓等の開口部を室内又は室外から見た場合、ガラスパネルに代表される障子の面材と建物の壁との間に開口部に取り付けられた枠材と障子の框の両方が見えるため、枠材や框の端が線として現れ、シンプルな印象とならなかったり、枠材や框自身がガラスパネル等の面材周りの厚い縁取りのように見え、ガラスパネル部分を小さく感じさせる場合もあった。
【０００５】
上述したようなシンプルモダン住宅では、シンプルで開放的な印象を与える建物が望まれるが、これまでかかる要望に十分に応え得る開口部装置は存在しなかった。
【発明の開示】
【発明が解決しようとする課題】
【０００６】
しかし、今後も洋風建築は増加し、その要望も多様化するため、シンプルな印象を与え開放的な空間を演出する開口部装置に対する需要が高まっている。
【０００７】
そこで、本発明では、かかる要望に応えるため、室内からは框及び枠材のいずれか一方しか見えず、あるいは室外からは該框及び枠材の他方しか見えないことにより建物の壁と一体感を有し、ガラスパネル等の面材周りをシンプルで開放的な印象を与えることができる開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【００１０】
請求項１に記載の発明は、建物（１０００）開口部の縁に沿って備えられた四辺形の枠材（１０）と、該枠材内に配置された障子（２０）と、を備え、障子は、上框、下框、左框、及び右框からなる四辺形の框（２２）と、該框に囲まれた面材（２１）と、を有し、室外側正面から見た場合に、枠材を框により全周に渡り隠蔽されるように框の室外側が見付方向外側に延びた部位（２２ｂ）を有しており、框及び枠材の面材側の端部から室内外方向に延びる端面が、建物開口部の室内側壁の室内外方向に延びる縁の直線上又はその近傍に配置され、枠材の室外側と、框の室外側の見付方向外側に延びた部位の内端部とに接するシール部材（３０）が設けられることを特徴とする開口部装置である。
【００１１】
請求項２に記載の発明は、請求項１に記載の開口部装置において、面材（２１）より室内側には、框（２２）及び枠材（１０）のいずれかの一方の該框又は該枠材のうち室外側面と、框及び枠材のいずれか他方と、の空間を閉鎖する緩衝材（３２）を備えた。
請求項３に記載の発明は、請求項１又は２に記載の開口部装置において、框の室外側の見付方向外側に延びた前記部位と枠材との間に排水可能な経路が形成され、シール部材により下枠と下框との一部を封鎖せず、排水口とした。
請求項４に記載の発明は、請求項１乃至３のいずれか１項に記載の開口部装置において、枠材（１０）と障子の框（２１）のうちいずれか一辺の枠材及び障子の框が蝶番（４０）により連結され、枠材に対して障子が室外方向に開閉可能とされる。
請求項５に記載の発明は、上枠、下枠、左枠、右枠からなる枠材と、該枠材に配置され、上框、下框、左框、右框からなる框及び該框に囲まれた面材からなる障子と、を備える窓を水平方向又は垂直方向の少なくとも一方に並べて形成される連窓であって、室外側正面から見た場合に、枠材を框により全周に渡り隠蔽されるように框の室外側が見付方向外側に延びた部位を有しており、框及び枠材の面材側の端部から室内外方向に延びる端面が、建物開口部の室内側壁の室内外方向に延びる縁の直線上又はその近傍に配置され、枠材の室外側と、框の室外側の見付方向外側に延びた部位の内端部とに接するシール部材が設けられ、水平方向又は垂直方向に並べられる窓間にはこれらを連結する連結部材（５０）と、室内側正面から見た場合に、少なくとも連結部材を隠蔽するように、連結部材に重ねて配置されるパネル（６０）と、を備えたことを特徴とする連窓の開口部装置である。
請求項６に記載の発明は、請求項５に記載の連窓の開口部装置においてパネル（６０）が枠材（１０）及び框（２２）に重ねて配置される。
【００１２】
以上に示した本発明の開口部装置は、住宅、公共施設等に限らず様々な建物の開口部に適用が可能であり、多種多様な窓に対しても対応できる。その中でも特に住宅におけるスリット窓に好適に用いられる。
【発明の効果】
【００１４】
請求項１の発明によれば、開口部装置は、框の全てを枠材の室内側に隠して配置するか、又は枠材の全てを框に隠して配置するため、室内側からは、壁、枠材又は框、ガラスパネル等の障子の面材しか見えない。これにより框又は枠材のいずれか一方の端が線として現れないので、非常にシンプルな印象を与える上、ガラスパネル等の面材の周りには枠材又は框しかないので縁取りが薄く、窓を大きく見せることができる。従って建物の外観において開口部装置と建物の壁との間に一体感が生じ、シンプルな印象とともに開放感も与えることができる。
【００１５】
また、請求項１の発明によれば、室外側においても枠材が必ず隠されるので、室内外問わず、壁、枠材又は框、ガラスパネル等の障子の面材しか見えない。これにより框又は枠材のいずれか一方の端が線として現れないので、非常にシンプルな印象を与える上、ガラスパネル等の面材の周りには枠材又は框しかないので縁取りが薄く、窓を大きく見せることができる。従って開口部装置と建物の壁との間に一体感が生じ、シンプルな印象とともに開放感も与えることができる。
請求項１、２の発明によれば、さらに水の浸入を防止することができる。
請求項３の発明によれば、さらに水の侵入があってもこれを適切に排出することができる。
請求項４の発明によれば、さらに障子の開閉をすることが可能となる。
請求項５の発明によれば、連窓の開口部装置においても請求項１と同様の効果を奏するとともにパネルにより室内視から連結部材が隠蔽される。
請求項６の発明によれば、連窓の開口部装置においてさらにパネルにより枠材及び框も室内視から隠蔽される。
【００１６】
本発明のこのような作用及び利得は、次に説明する発明を実施するための最良の形態から明らかにされる。
【発明を実施するための最良の形態】
【００１７】
以下本発明を図面に示す実施形態に基づき説明する。
【００１８】
図１は、本発明の開口部装置１００が使用される１つの実施形態にかかる建物１０００の外観を示す正面図である。建物１０００は、１階及び２階からなり、各階に開口部を有している。１階には玄関１５０や窓１６０が、２階にも窓１７０が備えられている。２階にはさらにスリット状の開口を備え、該開口に本発明の開口部装置１００が配置されている。開口部装置１００は、このようなスリット窓に好適に使用されるが、スリット窓に限らずあらゆる種類の窓にも適用が可能である。また、建物の種類も住宅に限定されず、公共施設やオフィスなどの大型建物にでも適用できる。
【００１９】
図２は実施形態１にかかる開口部装置１００の正面図である。図２（Ａ）は室外側からの正面図、図２（Ｂ）は室内側からの正面図である。開口部装置１００は、建物１０００開口部の縁に沿って備えられた枠材１０と、該枠材１０内に配置される障子２０とを有している。障子２０は、ガラスパネル２１と該ガラスパネル２１の全周に渡り取り付けられた框２２とを備えている。各部材の位置関係は後で説明する。図２（Ａ）に示すように、開口部装置１００を室外側から見ると建物の壁２００、框２２及びガラスパネル２１しか見えず、開口部装置１００を室内側から見ると図２（Ｂ）に示すように建物の室内側壁２０１、枠材１０及びガラスパネル２１しか見えない。従ってガラスパネル２１と建物の壁２００又は建物の室内側壁２０１との間に見える部材が少なくなり、シンプルで開放的な印象を与えることができる。実施形態１においては、室外から開口部装置１００を見た場合に枠材１０が見えず、室内からは框２２が見えないようになっているが、反対に室内から開口部装置１００を見た場合に枠１０が見えず、室外からは框２２が見えないように構成することも可能である。詳細な構成は後に説明する。
【００２０】
図３は、開口部装置１００の高さ方向中心付近における水平断面を示す図である。開口部装置１００の紙面上方が室外側、紙面下方が室内側である。理解しやすさのために説明に利用しない部材は適宜省略する。図３には、開口部装置１００のうち開口部の左右に鉛直に配置された枠材１０、１０、該枠材１０、１０に沿って配置された左右の框２２、２２及びガラスパネル２１が現れている。さらに分かり易くするため図３の鎖線で囲んだ部分Ａを拡大し図４に示す。部材同士の境界が分かり難いため、一部の部材を破線で示す。枠材１０は、開口部における建物の壁２００及び建物の室内側壁２０１に接して取り付けられる。枠材１０は建物の壁２００に略直角な部材１０ａと、部材１０ａの室内側の一端から略直角にガラスパネル２１の方向へ延設された部材１０ｂ及び１０ｂのガラスパネル２１側端部から略直角に室外方向へ延設された部材１０ｃを有し、部材１０ａ、１０ｂ、１０ｃは一体に成型されている。部材１０ａの室外側端部は室外に突出している。部材１０ｂは、建物の室内側壁２０１に設けられた切欠き部２０１ａのガラスパネル２１に平行である部分に接して配置される。
【００２１】
框２２は、ガラスパネル２１が挿入されるスリット２２ａ、ガラスパネル２１と略平行で部材１０ａの室外側に配置される部材２２ｂ及びスリット２２ａと部材２２ｂを連結する部材２２ｃ、２２ｄを備えている。框２２は、略Ｌ字型をした部材２２ｄのガラスパネル２１に平行な一部分を緩衝材３２を介して部材１０ｃの端部に接している。このとき、部材２２ｄの全てが部材１０ｃの室外側延長面よりも壁２００方向に位置するようになっている。これにより、室内側から正面で開口部装置１００を見たとき、框２２の部材２２ｄは部材１０ｃの室外側に隠蔽され、壁２０１と枠材１０及びガラスパネル２１しか見えない。また、部材２２ｂの壁２００側端部はシール材３０を介して部材１０ａの端部と接することにより配置される。このとき、部材１０ａの室外側延長面が部材２２ｂに含まれるように配置される。これにより室外側から正面で開口部装置１００を見たとき、枠材１０の部材１０ａは框２２の部材２２ｂにより隠蔽され、壁２００と框２２及びガラスパネル２１しか見えない。以上の構造により、開口部装置１００がシンプルで開放的な印象を与えることができる。ガラスパネル２１は、該ガラスパネル２１の端部に取り付けられた固定部材２３とともに框２２のスリット２２ａにシール材３１を介して配置される。
【００２２】
図５は、実施形態１の開口部装置１００の幅方向中心付近における垂直断面を示す図である。開口部装置１００の紙面左が室外側、紙面右が室内側である。部材同士の境界が分かり難いため、一部の部材を破線で示す。図５には開口部装置１００のうち開口部の上下に水平に配置された枠材１０、１０、該枠１０、１０に沿って配置された上下の框２２、２２及びガラスパネル２１が現れている。上下の枠材１０、１０、框２２、２２及びガラスパネル２１も各部材が図４に示した場合と同様の位置関係にあることにより、同じ効果を得ることができる。従って本発明の開口部装置１００においては、全周に渡り室外側からは枠材１０が隠蔽され、室内側からは框２２が隠蔽され、シンプルで開放的な印象を与えることができる。
【００２３】
開口部装置１００は以上のような構造となっているので、室内外の関係を反対に配置することが可能である。従って、開口部装置１００の全周に渡って、室外側から見たとき框が見えず、室内側から見たとき枠が見えないように配置すれば、実施形態１とは室内外が反対となっているが、同じ効果を得ることができる。
【００２４】
図６は、図５のＢで示した部分から雨など水が入ったときの排出経路を示した図である。Ｂで示した部分は、通常、シール部材３０により閉鎖されており、水の浸入は防がれているが、何らかの理由で水が入った場合でも、水は図４及び図５にＣで示した框２２と枠材１０との間隔を図６に破線で示した矢印の経路を通り、図５のＤに示した位置から排出される。
【００２５】
図７は、実施形態２にかかる本発明の開口部装置１０１である。実施形態１にかかる開口部装置１００は開閉ができないが、実施形態２にかかる開口部装置１０１は開閉が可能である。開口部装置１０１の框２２及び枠材１０は実施形態１の開口部装置１００と同じだが、框２２と枠材１０のうちのいずれか１辺の該框及び枠材が蝶番４０により連結され、他の辺における枠材１０と框２２は連結されていないので、蝶番４０の回動に連動し、框２２及びガラスパネル２１が回動する。よって開口部装置１０１は、不図示の開閉のための把手を使用し、図７に矢印で示した方向に開閉が可能となっている。これにより開口部装置１０１の開放時には換気ができ、閉鎖時においては実施形態１と同じ状態となるので、本発明の機能を維持しつつ換気もできる開口部装置１０１となる。
【００２６】
開口部装置１０１において、蝶番４０はその全体を框２２により隠される位置に配置されているので、蝶番４０は室外側から見えず、室内側からも枠材によって隠されているのでほとんど見えない。従って、非常にシンプルな印象を与えることができる。また、蝶番４０は、左右のいずれか１つの框２２、枠材１０に取り付けられると片開き窓として、上下のいずれか１辺の框２２、枠材１０に取り付けられると突き出し窓となるので、使用者の希望により選択することができる。
【００２７】
障子２０の開閉は框２２が正面から見える方向にのみ可能であるので、実施形態２においては、室外側へ開くようになっているが、枠材１０及び障子２０の室内外の関係を反対にすれば、室内側へ開くようにすることもできる。これは例えば室外側に障害物があり室外側に障子２０を開くことができない場合に有効である。
【００２８】
図８は実施形態３にかかる本発明の開口部装置１０２を示す図である。本実施形態は円形の建物開口部に開口部装置１０２を適用したものである。基本的な構造は実施形態１と同様であり、四辺形の框２２の代わりに円形の框２６を、四辺形の枠材１０の代わりに円形の枠材１１を、矩形のガラスパネル２１の代わりに円形のガラスパネル２５を使用している。また、実施形態２と同様にいずれかの位置に框２６と枠材１１とを連結する蝶番を取り付ければ開閉が可能な円形窓にすることができる。この場合においてもシンプルで開放的な印象の開口部装置１０２を提供することができる。
【００２９】
図９は、実施形態４にかかる本発明の開口部装置１０３の一部を拡大して示した水平断面を示した図である。本実施形態は、複数の開口部装置を備えた場合を示したものでいわゆる連窓の開口部装置である。左右に配置された開口部装置を連結部材５０により連結し、連窓が可能となる。室内側における連結部は、パネル６０を使用して隠蔽される。連窓は水平方向及び垂直方向いずれかの連窓でもよいし、両方向組み合わせた連窓あってもよい。これにより本発明の効果を活かしつつさらに需要者の選択の幅を広くすることができる。
【００３０】
各実施形態に使用される枠材及び框の材質は通常の開口部装置に利用されるあらゆる材質が使用可能である。その中でもアルミニウムが特に好ましい材料である。またガラスパネルに代えて通常の開口部装置に利用されるあらゆる材質が使用可能である。例えば採光の観点から考えるとアクリル樹脂パネル、ポリカーボネートパネルを使用することができる。また、ロック機構やシール材等、その他通常の開口部装置が備える部材は本発明の開口部装置にも使用することができる。
【００３１】
以上のように、本発明の開口部装置は多くの種類の建物の開口部に適用が可能であり、各実施形態においてその効果を十分に発揮することができる。
【００３２】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う建物の開口部装置もまた本発明の技術的範囲に包含されるものとして理解されなければならない。
【図面の簡単な説明】
【００３３】
【図１】本発明の開口部装置が使用される１つの実施形態にかかる建物の外観を示す正面図である。
【図２】実施形態１にかかる開口部装置の正面図である。
【図３】開口部装置の高さ方向中心付近における水平方向断面を示す図である。
【図４】図３のＡで示された部分を拡大した図である。
【図５】実施形態１にかかる開口部装置における幅方向中心付近における垂直断面を示す図である。
【図６】図５のＢで示した部分から雨など水が入ったときの排出経路を示した図である。
【図７】実施形態２にかかる本発明の開口部装置である。
【図８】実施形態３にかかる本発明の開口部装置を示す正面図である。
【図９】実施形態４にかかる本発明の開口部装置における一部を拡大して示した水平方向断面を示した図である。
【符号の説明】
【００３４】
１０  枠材
２０  障子
２１  ガラスパネル
２２  框
１００  開口部装置
１０１  開口部装置
１０２  開口部装置
１０３  開口部装置
２００  建物の壁
２０１  建物の室内側壁
１０００  建物
【図１】
0005464772.tif 000002
【図２】
0005464772.tif 000003
【図３】
0005464772.tif 000004
【図４】
0005464772.tif 000005
【図５】
0005464772.tif 000006
【図６】
0005464772.tif 000007
【図７】
0005464772.tif 000008
【図８】
0005464772.tif 000009
【図９】
0005464772.tif 000010